(57)【要約】【課題】カッタージャムが発生してもプリンタを容易に回復できるようにする。【解決手段】実施形態のプリンタ１０は、連続紙Ｓを排出する排出口２０と、用紙搬送路側に刃を向けた状態で固定された固定刃１６ａと、用紙搬送路を挟んで固定刃１６ａと対向する位置に配置され、可動刃１６ｂを固定刃１６ａに向けてスライドさせる可動刃スライド機構１６ｃと、可動刃スライド機構１６ｃを覆うカバー２１と、排出口２０を挟んでカバー２１と対向する位置に配置され、固定刃１６ａを覆うカバー２２と、を備える。排出口２０は、カバー２１の端部２１ｅ及びカバー２２の端部２２ｅにより形成されている。カバー２１は、排出口２０側の端部２１ｅを開放端として開閉可能である。また、カバー２２は、取り外し可能、又は、排出口２０側の端部２２ｅを開放端として開閉可能である。【選択図】図９
2018118398.tif 000002
【特許請求の範囲】
【請求項１】
用紙を排出する排出口と、
用紙搬送路側に刃を向けた状態で固定された固定刃と、
前記用紙搬送路を挟んで前記固定刃と対向する位置に配置され、可動刃を前記固定刃に向けてスライドさせる可動刃スライド機構と、
前記可動刃スライド機構を覆う第１のカバーと、
前記排出口を挟んで前記第１のカバーと対向する位置に配置され、前記固定刃を覆う第２のカバーと、を備え、
前記排出口は、前記第１のカバーの端部及び前記第２のカバーの端部により形成されており、
前記第１のカバーは、前記排出口側の端部を開放端として開閉可能であり、
前記第２のカバーは、取り外し可能、又は、前記排出口側の端部を開放端として開閉可能である、
プリンタ。
【請求項２】
前記可動刃スライド機構が前記可動刃をスライドさせたとき、前記可動刃は前記固定刃の前記第１のカバーの側に位置する、
請求項１に記載のプリンタ。
【請求項３】
前記第２のカバーは、前記排出口側の端部を開放端として開閉可能であり、
前記プリンタは、前記第２のカバーのオープンを検出する検出手段と、を備える、
請求項１又は２に記載のプリンタ。
【請求項４】
前記第２のカバーは、取り外し可能であり、
前記プリンタは、前記第２のカバーが取り外されていることを検出する検出手段、を備える、
請求項１又は２に記載のプリンタ。
【請求項５】
ユーザに情報を通知する通知手段と、
前記通知手段を制御する制御手段と、を備え、
前記制御手段は、印刷開始前に前記検出手段の検出結果に基づいて前記第２のカバーが取り外されているか否かを判別し、前記第２のカバーが取り外されている場合には、前記通知手段を制御してユーザに前記第２のカバーが取り外されている旨を通知する、
請求項４に記載のプリンタ。
【発明の詳細な説明】
【技術分野】
【０００１】
本発明の実施形態は、プリンタに関する。
【背景技術】
【０００２】
商品情報処理装置（例えば、ＰＯＳ端末）は、多くの場合、ロール紙から取り出された用紙に情報を印刷するプリンタ（例えば、レシートプリンタ、ジャーナルプリンタ）を備える。この種のプリンタは、用紙から印刷完了部分（例えば、レシートとなる部分）を切り離すためのカット機構を備える。カット機構は、例えば、固定刃と、用紙搬送路を挟んで固定刃と対向する位置に配置された可動刃スライド機構と、を備える。可動刃スライド機構は可動刃を固定刃に向けスライドさせる。
【先行技術文献】
【特許文献】
【０００３】
【特許文献１】特開２００１−１２１７６４号公報
【特許文献２】特開２００４−２３７５５５号公報
【特許文献３】特開平１１−１２３６９２号公報
【発明の概要】
【発明が解決しようとする課題】
【０００４】
カットの最中に紙詰まり（以下、カッタージャムという。）が起こることがある。カッタージャム発生時、可動刃は、固定刃のある位置までスライドしたまま、可動刃スライド機構まで戻れない。可動刃スライド機構をプリンタから取り外せば、プリンタは容易に元の状態に戻る。しかしながら、カッタージャム発生時、スライドしたままの可動刃が障害となって、ユーザは可動刃スライド機構をプリンタから容易に取り外すことができない。結果として、ユーザはカッタージャムからプリンタを容易に回復させることができない。
【０００５】
本発明が解決しようとする課題は、カッタージャムが発生してもプリンタを容易に回復できるようにすることである。
【課題を解決するための手段】
【０００６】
実施形態のプリンタは、用紙を排出する排出口と、用紙搬送路側に刃を向けた状態で固定された固定刃と、用紙搬送路を挟んで固定刃と対向する位置に配置され、可動刃を固定刃に向けてスライドさせる可動刃スライド機構と、可動刃スライド機構を覆う第１のカバーと、排出口を挟んで第１のカバーと対向する位置に配置され、固定刃を覆う第２のカバーと、を備える。排出口は、第１のカバーの端部及び第２のカバーの端部により形成されている。第１のカバーは、排出口側の端部を開放端として開閉可能である。また、第２のカバーは、取り外し可能、又は、排出口側の端部を開放端として開閉可能である。
【図面の簡単な説明】
【０００７】
【図１】実施形態のプリンタを備える商品情報処理装置を示す斜視図である。
【図２】実施形態のプリンタの斜視図である。
【図３】実施形態のプリンタのブロック図である。
【図４】実施形態のプリンタの内部構造を示す断面図である。
【図５】実施形態のプリンタが備える第２のカバーがオープンした様子を示す図である。
【図６】実施形態のプリンタが備えるエンジンブロックの斜視図である。
【図７】可動刃周辺を上方から見た図である。
【図８】プリンタの内部構造を簡略化した図である。
【図９】カッタージャム発生時のプリンタの内部を示す図である。
【図１０】第１のカバーと第２のカバーをオープンした様子を示す図である。
【図１１】可動刃スライド機構がプリンタから取り外される様子を示す図である。
【図１２】実施形態のプリンタの変形例を示す図である。
【発明を実施するための形態】
【０００８】
以下、発明を実施するための形態について図面を参照しながら説明する。なお、図中、同一または同等の部分には同一の符号を付す。
【０００９】
図１は、実施形態のプリンタ１０を備える商品情報処理装置１を示す斜視図である。商品情報処理装置１は、例えば、ＰＯＳ（Point of sales）端末である。商品情報処理装置１は、各ストアに設置され、オペレータによって操作される。商品情報処理装置１は不図示のストアサーバ（ＰＯＳサーバ）とネットワークを介して接続されている。プリンタ１０は商品情報処理装置１に固定或いは内蔵されている。
【００１０】
なお、以下の説明には、Ｘ軸、Ｙ軸、及びＺ軸から構成される直交座標系を用いる。図中、矢印の指し示す方向がプラス方向である。Ｘ軸プラス方向が右方向であり、Ｘ軸マイナス方向が左方向である。また、Ｙ軸プラス方向が背面方向（後側）であり、Ｙ軸マイナス方向が正面方向（前側）である。また、Ｚ軸プラス方向が上方向であり、Ｚ軸マイナス方向が下方向である。正面とはオペレータが位置する側のことである。図１の例であれば、正面は白抜き矢印の方向である。
【００１１】
図２は、商品情報処理装置１からプリンタ１０を取り出したものである。プリンタ１０は、レシートを発行するためのレシートプリンタである。
【００１２】
プリンタ１０は、上部にカバー２１及びカバー２２を備える。カバー２１はトップカバーであり、カバー２２はフロントカバー（サブカバー）である。カバー２１、２２は、いずれも開閉可能である。カバー２１は、Ｘ軸方向と平行な軸２１ｆを中心として回転する開閉式カバーである。また、カバー２２は、Ｘ軸方向と平行な軸２２ｆを中心として回転する開閉式カバーである。カバー２１は、排出口２０側（Ｙ軸マイナス方向側）の端部２１ｅを開放端として開閉し、カバー２２は、排出口２０側（Ｙ軸プラス方向側）の端部２２ｅを開放端として開閉する。
【００１３】
プリンタ１０は、内部にロール紙ホルダーＨを備える。ロール紙ホルダーＨはカバー２１により覆われている。ユーザは、カバー２１を開いてロール紙ホルダーＨにロール紙ＰＲを格納する。ロール紙ＰＲは、連続紙Ｓが巻き回されたロール状の印字媒体である。連続紙Ｓは、帯状の用紙である。プリンタ１０は、ロール紙ＰＲから連続紙Ｓを取り出し、連続紙Ｓに取引明細等の情報を印刷する。
【００１４】
プリンタ１０は、連続紙Ｓを排出するための排出口２０を備える。排出口２０は、カバー２１の前方側の端部２１ｅと、カバー２２の後方側の端部２２ｅと、により形成されている。情報が印刷された連続紙Ｓは、排出口２０から排出される。なお、図１及び図２に示した外観はあくまで一例であり、様々な変形が可能である。
【００１５】
図３は、プリンタ１０のブロック図である。プリンタ１０は、制御部１１と、通信インタフェース１２と、出力部１３と、検出部１４と、印刷部１５と、カット部１６と、を備える。
【００１６】
制御部１１は、プロセッサ、ＦＰＧＡ（Field Programmable Gate Array）等の処理装置である。制御部１１は、プリンタ１０の制御手段として機能する。制御部１１は、プリンタ１０に搭載されているセンサー（例えば、光センサー、押圧式スイッチ）からの信号に基づいて、プリンタ１０の状態を検出する。例えば、制御部１１は、筐体に配置された押圧式スイッチからの信号に基づいて、カバー２１が開いているか否かを検出する。また、制御部１１は、連続紙Ｓの搬送路に配置された光センサーからの信号に基づいて、プリンタ１０が紙切れとなっているか否かを検出する。
【００１７】
通信インタフェース１２は、商品情報処理装置１の制御装置（例えば、プロセッサ）と通信する通信インタフェースである。通信インタフェースは、ＲＳ−２３２ｃ、シリアルＡＴＡ等のシリアルインタフェースであってもよいし、ＩＳＡ（Industrial Standard Architecture bus）、ＰＣＩ（Peripheral Component Interconnect）等のパラレルインタフェースであってもよい。通信インタフェース１２は、商品情報処理装置１から各種データを取得する。例えば、通信インタフェース１２は、商品情報処理装置１から、印刷部１５が連続紙Ｓに印刷する情報（例えば、取引明細の情報）を取得する。また、通信インタフェース１２は、制御部の制御に従って、商品情報処理装置１の制御装置に各種情報を送信する。商品情報処理装置１は、通信インタフェース１２を介して取得した情報をユーザに通知してもよい。このとき、通信インタフェース１２は、プリンタ１０の通知手段として機能する。
【００１８】
出力部１３は、ユーザに情報を通知するための出力装置である。出力部１３は、例えば、スピーカー、ブザー等の音響発生装置、或いはＬＥＤ（Light Emitting Diode）ランプ等の点灯装置である。勿論、出力部１３は音響発生装置及び点灯装置に限定されない。例えば、出力部１３は、液晶ディスプレイ（Liquid Crystal Display）、有機ＥＬディスプレイ(Organic Electroluminescence Display)等の表示装置であってもよい。出力部１３は、制御部１１の制御に基づいてユーザに対して各種情報を出力する。例えば、出力部１３は、カバー２２のオープンが検知されたら、ブザー音の出力、或いはランプの点灯をする。出力部１３は、プリンタ１０の通知手段として機能する。
【００１９】
検出部１４は、カバーオープンを検出するためのセンサーである。検出部１４は、例えば、光センサー或いは機械式センサーである。光センサーは、フォトインタラプタであってもよい。機械式センサーは、押圧式或いはレバー式のスイッチであってもよい。検出部１４は、例えば、プリンタ１０の筐体に取り付けられ、カバー２１及び／又はカバー２２のオープンを検出する。本実施形態では、検出部１４は、カバー２１及びカバー２２の双方のオープンを検出する。勿論、検出部１４は、カバー２１及びカバー２２のいずれか一方のオープンを検出するよう構成されていてもよい。検出部１４は、プリンタ１０の検出手段として機能する。
【００２０】
図４は、プリンタ１０の内部構造を示す断面図である。カバー２１は、プリンタ１０の上部を覆うトップカバー（メインカバー）である。カバー２１はプリンタ１０の第１のカバーとして機能する。カバー２１は、可動刃スライド機構１６ｃの上部を覆っている。そのため、カバー２１をオープンすると、可動刃スライド機構１６ｃは、上方（Ｚ軸プラス方向）から見て、露出した状態となる。可動刃スライド機構１６ｃは、可動刃１６ｂをスライドさせるための機構であり、カット部１６の一部である。可動刃１６ｂ及び可動刃スライド機構１６ｃについては後述する。
【００２１】
カバー２２は、プリンタ１０の前方上部を覆うフロントカバー（サブカバー）である。カバー２２はプリンタ１０の第２のカバーとして機能する。カバー２２は、排出口２０を挟んでカバー２１と端部同士が対向する位置に配置されている。カバー２２は、固定刃１６ａの上部を覆っている。カバー２２には、ユーザが手動で連続紙Ｓをカットするためのマニュアルカッター２２ａが配置されている。
【００２２】
通常、ＰＯＳ端末に配置されるプリンタは、トップカバー（本実施形態の例であれば、カバー２１）のみが開閉可能である。通常、この種のプリンタは、フロントカバー（本実施形態の例であれば、カバー２２）は開閉できない。しかしながら、本実施形態のプリンタ１０は、カバー２１に加えてカバー２２も開閉可能である。図５は、カバー２２がオープンした様子を示す図である。
【００２３】
印刷部１５は、連続紙Ｓに取引明細等の各種情報を印字する印刷ユニットである。印刷部１５は、サーマル方式のプリントユニットである。印刷部１５は、プリントヘッド１５ａと、ローラ１５ｂと、を備える。プリントヘッド１５ａはサーマルヘッドであり、ローラ１５ｂはプラテンローラである。ローラ１５ｂは、用紙Ｓを搬送する搬送部（搬送手段）としても機能する。印刷部１５は、制御部１１の制御に従って取引明細等の情報を連続紙Ｓに印字する。
【００２４】
カット部１６は、連続紙Ｓから印刷完了部分（例えば、レシートとなる部分）を切り離すためのカット機構である。より具体的には、カット部１６は、スライド式のカット機構である。カット部１６は、可動刃１６ｂと、固定刃１６ａと、を備える。可動刃１６ｂは、可動刃１６ｂをスライドさせる可動刃スライド機構１６ｃに固定されている。固定刃１６ａは、エンジンブロック１００の上部に固定されている。
【００２５】
エンジンブロック１００は、プリンタ１０の印刷を担うアッシー（ASSY）である。図６は、エンジンブロック１００の一部を示す斜視図である。図示が省略されているが、フラットケーブル１０４の先端にはプリントヘッド１５ａが接続される。エンジンブロック１００は、プリンタ１０の各パーツを配置するための筐体を備える。筐体は、金属板１０１〜１０３で構成される。金属板１０１は、Ｙ軸方向にその平面を向けた状態で配置されている。金属板１０２及び金属板１０３は、Ｘ軸方向にその平面を向けた状態で配置されている。金属板１０１の上部には、固定刃１６ａが固定されている。
【００２６】
固定刃１６ａは、Ｘ軸方向に長細い形状となっている。固定刃１６ａはＸ軸方向に平行な直線状の刃を有する。固定刃１６ａは用紙搬送路側（図６の例の場合、Ｙ軸プラス方向）に刃を向けた状態で固定されている。用紙搬送路とは、連続紙Ｓの搬送路のことである。固定刃１６ａは、バネ等により、可動刃１６ｂが位置する方向（本実施形態の場合、上方向）に付勢されている。
【００２７】
図５に戻り、可動刃スライド機構１６ｃは、可動刃１６ｂをスライドさせるための機構である。可動刃スライド機構１６ｃは、プリンタ１０に取り外し可能に固定されている。例えば、可動刃スライド機構１６ｃは、プリンタ１０のフレーム或いは筐体にネジ止めされている。
【００２８】
可動刃スライド機構１６ｃには、可動刃１６ｂがスライド可能に固定されている。可動刃１６ｂは、用紙搬送路側（図５の例の場合、Ｙ軸プラス方向）に刃を向けた状態で固定されている。可動刃スライド機構１６ｃは、内部にローラを備え、ローラを回転させることにより可動刃１６ｂを固定刃１６ａに向けてスライドさせる。図７は、可動刃１６ｂの周辺を上方から見た図である。可動刃１６ｂは、Ｙ軸マイナス方向に刃を向けた状態で固定されている。可動刃１６ｂは、固定刃１６ａの位置までスライドしたときに、固定刃１６ａの上方（カバー２２側）に重なる。
【００２９】
可動刃１６ｂの刃は、緩やかなＶ字状をしている。そのため、連続紙Ｓの切りはじめは、可動刃１６ｂのＸ軸方向の端部１６ｂ１、１６ｂ２となる。なお、端部１６ｂ１、１６ｂ２は、上方向に緩やかに反っている。上述したように、固定刃１６ａは、上方向に付勢されている。切りはじめとなる部分に反りを設けることによって、固定刃１６ａが上方向に付勢されていたとしても、可動刃１６ｂは固定刃１６ａにスムーズに重なる。
【００３０】
なお、図５では、可動刃１６ｂの端部１６ｂ１の上方にプリンタ１０の筐体の一部（図５に示す符号２４）が位置しているように見える。しかし、筐体２４は、可動刃１６ｂのＶ字中央（Ｙ軸プラス方向に引っ込んだ部分）の上空に位置するものである。そのため、プリンタ１０の上方から見た場合、可動刃１６ｂと筐体２４は重なっていない。すなわち、可動刃１６ｂの上空は筐体２４によって塞がれていない。
【００３１】
次に、このような構成を有するプリンタ１０のメンテナンス方法について説明する。以下の説明では、理解を容易にするため、簡略化した図面を使用する。
【００３２】
図８は、プリンタ１０の内部構造を簡略化した図である。プリンタ１０は、ロール紙ＰＲが着脱可能に構成されている。ロール紙ＰＲから取り出された連続紙Ｓは、印刷部１５で情報が印刷される。そして、連続紙Ｓは、カット部１６でカットされて排出口２０から排出される。排出口２０は、カバー２１の端部２１ｅとカバー２２の端部２２ｅとにより形成されている。可動刃スライド機構１６ｃには、可動刃１６ｂがスライド可能に固定されている。
【００３３】
カット部１６がカット動作をしていない時、可動刃１６ｂの先端は、用紙搬送路より可動刃スライド機構１６ｃ側（Ｙ軸プラス方向側）に位置している。カット動作時、可動刃スライド機構１６ｃは、可動刃１６ｂを固定刃ａに向けてスライドさせる。可動刃１６ｂの先端は、用紙搬送路を超えて固定刃１６ａの位置に達する。このとき、カット部１６が紙詰まり（以下、カッタージャムという。）を起こすことがある。図９は、カッタージャム発生時のプリンタ１０の内部を示す図である。図９の例では、可動刃１６ｂは固定刃１６ａに重なった状態から元に戻れなくなっている。
【００３４】
可動刃スライド機構１６ｃをプリンタから取り出すことができれば、ユーザは、プリンタ１０を元の状態に容易に回復させることができる。しかしながら、従来のプリンタの場合、スライドしたままの可動刃が障害となるので、ユーザは可動刃スライド機構を容易に取り外すことができない。より具体的には、用紙搬送路を超えてスライドしたままとなっている可動刃がフロントカバーに引っかかるため、ユーザは可動刃スライド機構を容易に取り外すことができない。図９を使ってより詳細に説明すると、例えユーザがカバー２１を開いたとしても、可動刃１６ｂの先端がカバー２２に引っかかるので、ユーザは可動刃スライド機構１６ｃをプリンタ１０から取り外すことができない。
【００３５】
しかしながら、本実施形態のプリンタ１０は、カバー２１に加えてカバー２２も開閉可能である。図１０は、カバー２１とカバー２２の双方をオープンした様子を示す図である。このとき、検出部１４は、カバー２１及び／又はカバー２２のオープンを検出してもよい。そして、制御部１１は、カバー２１及び／又はカバー２２がオープンしたことを、通信インタフェース１２又は出力部１３を介してユーザに通知してもよい。
【００３６】
カバー２１とカバー２２の双方がオープンすると、可動刃スライド機構１６ｃの上部は、可動刃１６ｂの上部も含めて完全に開放される。可動刃１６ｂは固定刃１６ａの上部に位置している。そのため、可動刃１６ｂ及び可動刃スライド機構１６ｃは完全に開放される。この結果、ユーザは可動刃スライド機構１６ｃをプリンタ１０から容易に取り外すことができる。図１１は、可動刃スライド機構１６ｃがプリンタ１０から取り外される様子を示す図である。ユーザは、可動刃スライド機構１６ｃを取り外した後、固定刃１６ａの上にある連続紙Ｓを取り除く。これにより、カッタージャムは解消する。
【００３７】
本実施形態によれば、プリンタ１０はカバー２１に加えてカバー２２も開閉可能となっている。そのため、カッタージャム発生時、例え可動刃１６ｂがスライドしたまま元に戻れなくなっていたとしても、可動刃１６ｂがカバー２２に引っかかることがない。従って、ユーザは可動刃スライド機構１６ｃをプリンタ１０から容易に取り外すことができる。結果として、ユーザはプリンタ１０をカッタージャムから容易に回復させることができる。
【００３８】
また、カバー２１に加えてカバー２２も開閉可能であるので、ユーザはプリンタ１０の内部に容易にアクセス可能である。したがって、ユーザは、カッタージャム以外のペーパージャムに対しても容易に対処できる。
【００３９】
上述の各実施形態はそれぞれ一例を示したものであり、種々の変更及び応用が可能である。
【００４０】
例えば、上述の実施形態では、カバー２２は開閉可能であるものとした。しかしながら、カバー２２は取り外し可能であってもよい。カバー２２が取り外し可能に構成されていても、カバー２２が開閉可能の場合と同様の効果を得ることができる。図１２は、プリンタ１０からカバー２２を取り外した様子を示す図である。
【００４１】
このとき、検出部１４は、カバー２２が取り外されたことを検出するよう構成されていてもよい。そして、制御部１１は、カバー２２が取り外されたことを、通信インタフェース１２又は出力部１３を介してユーザに通知してもよい。検出及び通知のタイミングは、プリンタ１０が商品情報処理装置１から印刷ジョブを受信したタイミングであってもよい。また、通知するタイミングは、プリンタ１０に電源が投入されたタイミングであってもよいし、プリンタ１０が商品情報処理装置１から起動されたタイミング（例えば、プリンタ１０のウェークアップ時）であってもよい。
【００４２】
カバー２２が取り外し可能の場合、カバー２２が開閉可能な場合と異なり、ユーザは、カバー２２が取り外されていることに気付かずプリンタ１０の使用を開始する恐れがある。カバー２２が取り外されていることをユーザに通知することにより、カバー２２が取り外されたままプリンタ１０が使用されることを防ぐことができる。
【００４３】
なお、カバー２２が開閉可能な場合であっても、制御部１１は、カバー２２がオープンされていることを、通信インタフェース１２又は出力部１３を介してユーザに通知してもよい。検出及び通知のタイミングは、プリンタ１０が商品情報処理装置１から印刷ジョブを受信したタイミングであってもよい。また、通知するタイミングは、プリンタ１０に電源が投入されたタイミングであってもよいし、プリンタ１０が商品情報処理装置１から起動されたタイミング（例えば、プリンタ１０のウェークアップ時）であってもよい。
【００４４】
また、上述の実施形態では、可動刃１６ｂの刃はＶ字状であるものとしたが、可動刃１６ｂの刃の形状はＶ字状に限定されない。例えば、可動刃１６ｂの刃は直線状であってもよい。このとき、可動刃１６ｂの刃は、固定刃１６ａの刃に対して傾斜していてもよい。勿論、可動刃１６ｂの刃は凸状若しくは凹状に湾曲していてもよい。また、上述の実施形態では、固定刃１６ａの刃は直線状であるものとしたが、固定刃１６ａの刃は直線状に限定されない。固定刃１６ａの刃は、Ｖ字状であってもよいし、湾曲していてもよい。
【００４５】
また、上述の実施形態では、可動刃スライド機構１６ｃの上部にカバー２１、固定刃１６ａの上部にカバー２２が位置するものとしたが、可動刃スライド機構１６ｃと固定刃１６ａの位置は逆転していてもよい。すなわち、可動刃スライド機構１６ｃの上部にカバー２２、固定刃１６ａの上部にカバー２１が位置していてもよい。このとき、カバー２２はプリンタ１０の第１のカバーとして機能し、カバー２１はプリンタ１０の第２のカバーとして機能する。
【００４６】
また、上述の実施形態では、印刷部１５はサーマル方式のプリントユニットであるものとしたが、印刷部１５はサーマル方式のプリントユニットに限定されない。例えば、印刷部１５は、ドットインパクト方式、インクジェット方式、或いは電子写真方式のプリントユニットであってもよい。
【００４７】
また、上述の実施形態では、プリンタ１０は商品情報処理装置１に固定或いは内蔵されるものとしたが、プリンタ１０は商品情報処理装置１に外付できるよう構成されていてもよい。例えば、プリンタ１０はＵＳＢ（Universal Serial Bus）、ＩＥＥＥ１３９４等の接続インタフェースを備え、ＵＳＢケーブル等の通信ケーブルを介して商品情報処理装置１に接続できるよう構成されていてもよい。
【００４８】
また、プリンタ１０は、ユーザインタフェースを備え、商品情報処理装置１から独立して単体動作できるよう構成されていてもよい。また、プリンタ１０は、パーソナルコンピュータに接続され、パーソナルコンピュータの指示に基づいて動作するよう構成されていてもよい。また、上述の実施形態では、プリンタ１０は出力部１３を備えるものとしたが、プリンタ１０は出力部１３を備えていなくてもよい。
【００４９】
また、上述の実施形態では、商品情報処理装置１は、ＰＯＳ端末であるものとしたが、商品情報処理装置１はＰＯＳ端末に限定されない。例えば、商品情報処理装置１は、ネットワーク接続機能を持たない単体動作型のキャッシュレジスターであってもよい。
【００５０】
また、上述の実施形態では、プリンタ１０はＰＯＳ端末或いは単体動作型のキャッシュレジスターに設置されるものとしたが、プリンタ１０が設置される装置はこれらに限定されない。例えば、プリンタ１０が設置される装置は、金融情報処理装置であってもよい。金融情報処理装置は、銀行のＡＴＭ（Automated Teller Machine）であってもよい。この場合、商品情報処理装置１は金融情報処理装置１と言い換えることができる。勿論、プリンタ１０が設置される装置は、商品情報処理装置および金融情報処理装置、以外の装置であってもよい。
【００５１】
また、上述の実施形態では、商品情報処理装置１或いは金融情報処理装置１は、プリンタ１０が固定或いは内蔵されるものとした。しかし、商品情報処理装置１或いは金融情報処理装置１は、プリンタ１０を介することなく、直接、連続紙Ｓに印刷できるよう構成されていてもよい。例えば、商品情報処理装置１或いは金融情報処理装置１は、制御部１１と、通信インタフェース１２と、出力部１３と、検出部１４と、印刷部１５と、カット部１６と、を備えていてもよい。制御部１１は商品情報処理装置１或いは金融情報処理装置１の各部を制御する制御装置（例えば、プロセッサ）と共通であってもよい。商品情報処理装置１或いは金融情報処理装置１をプリンタ１０そのものとみなすことも可能である。
【００５２】
また、上述の実施形態では、プリンタ１０はレシートプリンタであるものとして説明したが、プリンタ１０はレシートプリンタに限定されない。例えば、プリンタ１０はラベルプリンタであってもよい。このとき、プリンタ１０に格納されるロール紙ＰＲ１は、ラベル台紙が巻き回された、ラベル用のロール紙であってもよい。ラベル台紙も連続紙の一種である。
【００５３】
なお、プリンタ１０は、ジャーナルプリンタ、ラベルプリンタ以外のプリンタであってもよい。例えば、プリンタ１０は、レシートや銀行のステートメントに印刷を行うプリンタであってもよいし、ジャーナル情報を印刷するジャーナルプリンタであってもよい。プリンタ１０が連続紙Ｓに印刷する情報は取引情報に限定されず、他の情報であってもよい。
【００５４】
また、連続紙Ｓは、ロール紙から取り出された用紙に限定されない。連続紙Ｓは、例えば、折り畳み連続紙であってもよい。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【００５６】
上述の実施形態は以下の付記のようにも記載され得る。もちろん、上述の実施形態は、以下の付記のみに限定されるものではない。
【００５７】
（付記１）
用紙を排出する排出口と、
用紙搬送路側に刃を向けた状態で固定された固定刃と、
前記用紙搬送路を挟んで前記固定刃と対向する位置に配置され、可動刃を前記固定刃に向けてスライドさせる可動刃スライド機構と、
前記可動刃スライド機構を覆う第１のカバーと、
前記排出口を挟んで前記第１のカバーと対向する位置に配置され、前記固定刃を覆う第２のカバーと、を備え、
前記排出口は、前記第１のカバーの端部及び前記第２のカバーの端部により形成されており、
前記第１のカバーは、前記排出口側の端部を開放端として開閉可能であり、
前記第２のカバーは、取り外し可能、又は、前記排出口側の端部を開放端として開閉可能である、
プリンタ。
【００５８】
（付記２）
前記可動刃スライド機構が前記可動刃をスライドさせたとき、前記可動刃は前記固定刃の前記第１のカバーの側に位置する、
付記１に記載のプリンタ。
【００５９】
（付記３）
前記第２のカバーは、前記排出口側の端部を開放端として開閉可能であり、
前記プリンタは、前記第２のカバーのオープンを検出する検出手段と、を備える、
付記１又は２に記載のプリンタ。
【００６０】
（付記４）
ユーザに情報を通知する通知手段と、
前記通知手段を制御する制御手段と、を備え、
前記制御手段は、印刷開始前に前記検出手段の検出結果に基づいて前記第２のカバーがオープンしているか否かを判別し、前記第２のカバーがオープンしている場合には、前記通知手段を制御してユーザに前記第２のカバーのオープンを通知する、
付記３に記載のプリンタ。
【００６１】
（付記５）
前記第２のカバーは、取り外し可能であり、
前記プリンタは、前記第２のカバーが取り外されていることを検出する検出手段、を備える、
付記１又は２に記載のプリンタ。
【００６２】
（付記６）
ユーザに情報を通知する通知手段と、
前記通知手段を制御する制御手段と、を備え、
前記制御手段は、印刷開始前に前記検出手段の検出結果に基づいて前記第２のカバーが取り外されているか否かを判別し、前記第２のカバーが取り外されている場合には、前記通知手段を制御してユーザに前記第２のカバーが取り外されている旨を通知する、
付記５に記載のプリンタ。
【００６３】
（付記７）
前記制御手段は、前記プリンタが起動されたタイミングで前記第２のカバーが取り外されているか否かを判別し、前記第２のカバーが取り外されている場合には、前記通知手段を制御してユーザに前記第２のカバーが取り外されている旨を通知する
付記６に記載のプリンタ。
【００６４】
（付記８）
前記制御手段は、前記プリンタが印刷ジョブを受信したタイミングで前記第２のカバーが取り外されているか否かを判別し、前記第２のカバーが取り外されている場合には、前記通知手段を制御してユーザに前記第２のカバーが取り外されている旨を通知する
付記６に記載のプリンタ。
【００６５】
（付記９）
前記第２のカバーにはマニュアルカッターが設けられている、
付記１乃至８のいずれか１つに記載のプリンタ。
【００６６】
（付記１０）
付記１乃至９のいずれか１つに記載のプリンタを備える、
商品情報処理装置。
【００６７】
（付記１１）
付記１乃至９のいずれか１つに記載のプリンタを備える、
金融情報処理装置。
【符号の説明】
【００６８】
１…商品情報処理装置（金融情報処理装置）
１０…プリンタ
１１…制御部
１２…通信インタフェース
１３…出力部
１４…検出部
１５…印刷部
１５ａ…プリントヘッド
１５ｂ…ローラ
１６…カット部
１６ａ…固定刃
１６ｂ…可動刃
１６ｂ１、１６ｂ２…端部
１６ｃ…可動刃スライド機構
２０…排出口
２１、２２…カバー
２１ｆ、２２ｆ…軸
２２ａ…マニュアルカッター
２１ｅ、２２ｅ…端部
２４…筐体
１００…エンジンブロック
１０１、１０２、１０３…金属板
１０４…フラットケーブル
Ｈ…ロール紙ホルダー
ＰＲ…ロール紙
Ｓ…連続紙
【図１】
2018118398.tif 000003
【図２】
2018118398.tif 000004
【図３】
2018118398.tif 000005
【図４】
2018118398.tif 000006
【図５】
2018118398.tif 000007
【図６】
2018118398.tif 000008
【図７】
2018118398.tif 000009
【図８】
2018118398.tif 000010
【図９】
2018118398.tif 000011
【図１０】
2018118398.tif 000012
【図１１】
2018118398.tif 000013
【図１２】
2018118398.tif 000014